(57)【要約】【課題】定着方法の異なる複数種類のインクを選択使用することができるインクジェット記録装置を提供する。【解決手段】記録媒体１６にインクを付与し描画する描画部７６と、記録媒体１６に付与されたインクを乾燥する乾燥部１０４と、定着方法が異なる複数種類のインクをそれぞれ定着させる複数の異なる定着手段８０、９０と、複数の異なる定着手段８０、９０を切り替える定着手段切替部２０、２９と、を備える。【選択図】図１
2015047819.tif 000002
【特許請求の範囲】
【請求項１】
記録媒体にインクを付与し描画する描画部と、
前記記録媒体に付与されたインクを乾燥する乾燥部と、
定着方法が異なる複数種類のインクをそれぞれ定着させる複数の異なる定着手段と、
前記複数の異なる定着手段を切り替える定着手段切替部と、
を備えるインクジェット記録装置。
【請求項２】
前記定着手段切替部を制御して、インクの種類に応じて前記複数の異なる定着手段を切り替える定着手段切替部制御手段を備える請求項１記載のインクジェット記録装置。
【請求項３】
前記複数の異なる定着手段は、加熱手段と紫外光照射手段とを含む請求項１または２記載のインク記録装置。
【請求項４】
前記加熱手段は、遠赤外光照射手段を備えている請求項３記載のインクジェット記録装置。
【請求項５】
前記加熱手段は、加熱ローラを備えている請求項３記載のインクジェット記録装置。
【請求項６】
前記描画部にインクを供給するインク供給容器のインクの種類を切り替えるインク切替手段を備える請求項１〜５のいずれか一項に記載のインクジェット記録装置。
【請求項７】
前記インク切替手段は、定着方法が異なるインクをそれぞれ収容する複数のインク容器がそれぞれ搭載される複数のインク容器搭載部と、前記インク容器搭載部に搭載された前記インク容器のインクを切り替え、前記インク供給容器へ送る切替弁と、を備える請求項６記載のインクジェット記録装置。
【請求項８】
定着方法が異なる複数のインクのうちいずれかのインクが収容されたインク容器を搭載可能なインク容器搭載部と、前記インク容器に収容されたインクを定着させる定着手段を搭載可能とする定着手段搭載部と、
を備えるインクジェット記録装置。
【発明の詳細な説明】
【技術分野】
【０００１】
本発明は、インクジェット記録装置に関する。
【背景技術】
【０００２】
電子写真方式による印字部とインクジェット方式による印字部とを備えたカラー画像形成装置で、画像形成方法に応じて定着方法を切り替えたり、所望の画像光沢性を得るために、表層の硬度などが異なる複数の定着ロールを切り替えたり、記録媒体の表面性状にあわせて、表面粗度の異なる２種類の定着ローラを切り替えたりすることは開示されている（特許文献１〜３参照）。
【先行技術文献】
【特許文献】
【０００３】
【特許文献１】特開２００２−１４９００４号公報
【特許文献２】特開２００５−２７１４１８号公報
【特許文献３】特開２０００−１５５４８５号公報
【発明の概要】
【発明が解決しようとする課題】
【０００４】
インクジェットプリンタ等のインクジェット記録装置には用途に合わせ様々なインクの種類があり、インクの種類に合わせた定着方法が採用されている。例えば、オフセット印刷並みの高画質と高い色再現性を兼ね備えた水性インクの場合には、水分乾燥後に熱定着を行う方法が用いられ、色再現性は劣るが水分乾燥が困難なパッケージ用厚紙印刷に対してはＵＶインクが好適に用いられ、水分乾燥後にＵＶ光を照射して定着を行う方法が用いられている。
【０００５】
従来、インクジェットプリンタに使用出来るインクは１種類であった。本発明者は、インクジェット記録装置において、定着方法の異なる複数種類のインクが用途に合わせて選択使用することができると印刷用途が広がり便利であると考えた。
【０００６】
本発明の主な目的は、定着方法の異なる複数種類のインクを選択使用することができるインクジェット記録装置を提供することにある。
【課題を解決するための手段】
【０００７】
本発明の一態様によれば、
記録媒体にインクを付与し描画する描画部と、
記録媒体に付与されたインクを乾燥する乾燥部と、
定着方法が異なる複数種類のインクをそれぞれ定着させる複数の異なる定着手段と、
複数の異なる定着手段を切り替える定着手段切替部と、
を備えるインクジェット記録装置が提供される。
【０００８】
本発明の他の態様によれば、
定着方法が異なる複数のインクのうちいずれかのインクが収容されたインク容器を搭載可能なインク容器搭載部と、インク容器に収容されたインクを定着させる定着手段を搭載可能とする定着手段搭載部と、
を備えるインクジェット記録装置が提供される。
【発明の効果】
【０００９】
本発明によれば、定着方法の異なる複数種類のインクを選択使用することができるインクジェット記録装置が提供される。
【図面の簡単な説明】
【００１０】
【図１】本発明の第１の実施の形態のインクジェット記録装置を説明するための概略縦断面図である。
【図２】図１のＡ部の部分拡大概略縦断面図である。
【図３】本発明の第１の実施の形態のインクジェット記録装置の加熱ローラを説明するための概略縦断面図である。
【図４】本発明の第１の実施の形態のインクジェット記録装置の遠赤外照射ランプを説明するための概略縦断面図である。
【図５】本発明の実施の形態のインクジェット記録装置によるインクジェット記録方法を説明するためのフローチャートである。
【図６】本発明の第２の実施の形態のインクジェット記録装置を説明するための概略縦断面図である。
【発明を実施するための形態】
【００１１】
以下、本発明の好ましい実施の形態について図面を参照しながら説明する。
【００１２】
図１を参照して、本発明の第１の実施の形態のインクジェット記録装置を説明する。
成図である。構成要素毎に以下説明する。
《装置構成》
【００１３】
インクジェット記録装置７０は、主として、用紙１６を給紙する給紙部６２と、給紙部６２から給紙された用紙１６の表面（画像記録面）に処理液を付与する処理液付与部１００と、処理液付与部１００で処理液が付与された用紙１６の乾燥処理を行う処理液乾燥処理部１０２と、処理液乾燥処理部１０２で乾燥処理が施された用紙１６の表面にインクを用いてインクジェット方式で画像を描画する描画部７６と、描画部７６にインクを供給するインク供給部４０と、描画部７６で画像が描画された用紙１６のインクの乾燥処理を行う乾燥部１０４と、乾燥部１０４で乾燥処理された用紙１６に定着処理を行って画像を定着させる定着部１０６と、定着部１０６で定着処理された用紙１６を排紙する排紙部７８と、制御部２００を備えている。
【００１４】
〈給紙部〉
給紙部６２は、給紙台６３に積載された用紙１６を１枚ずつ処理液付与部１００に給紙する。給紙部６２は、主として、給紙台６３と、サッカー装置１０８と、給紙ローラ対１１０と、フィーダボード５８と、前当て１１２と、給紙ドラム１１４とを備えている。
【００１５】
用紙１６は、多数枚が積層された束の状態で給紙台６３に載置される。給紙台６３は、図示しない給紙台昇降装置によって昇降可能に設けられている。給紙台昇降装置は、給紙台６３に積載された用紙１６の増減に連動して、昇降駆動が制御され、給紙台６３を昇降させて、束の最上位に位置する用紙１６が常に一定の高さに位置させる。
【００１６】
記録媒体としての用紙１６は、特に限定されないが、一般のオフセット印刷などで使用される汎用の印刷用紙（いわゆる上質紙、コート紙、アート紙などのセルロースを主体とする用紙）やパッケージ用厚紙等を用いることができる。
【００１７】
サッカー装置１０８は、給紙台６３に積載されている用紙１６を上から順に１枚ずつ取り上げて、給紙ローラ対１１０に給紙する。サッカー装置１０８は、昇降自在かつ揺動自在に設けられたサクションフット１０８Ａを備え、サクションフット１０８Ａによって用紙１６の上面を吸着保持して、用紙１６を給紙台６３から給紙ローラ対１１０に移送する。移送の際、サクションフット１０８Ａは、束の最上位に位置する用紙１６の先端側の上面を吸着保持して、用紙１６を引き上げ、引き上げた用紙１６の先端を、給紙ローラ対１１０を構成する一対のローラ１１０Ａ、１１０Ｂの間に挿入する。
【００１８】
給紙ローラ対１１０は、互いに押圧当接された上下一対のローラ１１０Ａ、１１０Ｂで構成される。上下一対のローラ１１０Ａ、１１０Ｂは、一方が駆動ローラ（ローラ１１０Ａ）、他方が従動ローラ（ローラ１１０Ｂ）とされ、駆動ローラ（ローラ１１０Ａ）は、図示しないモータに駆動されて回転する。モータは、用紙１６の給紙に連動して駆動され、サッカー装置１０８から用紙１６が給紙されると、給紙のタイミングに合わせて駆動ローラ（ローラ１１０Ａ）を回転させる。上下一対のローラ１１０Ａ、１１０Ｂの間に挿入された用紙１６は、ローラ１１０Ａ、１１０Ｂにニップされて、ローラ１１０Ａ、１１０Ｂの回転方向（フィーダボード５８の設置方向）に送り出される。
【００１９】
フィーダボード５８は、用紙幅に対応して形成され、給紙ローラ対１１０から送り出された用紙１６を受けて、前当て１１２までガイドする。フィーダボード５８は、搬送方向下方に向けて傾斜して設置され、フィーダボード５８の搬送面の上に載置された用紙１６を搬送面に沿って滑らせて前当て１１２までガイドする。
【００２０】
フィーダボード５８には、用紙１６を搬送するためのテープフィーダ５８Ａが幅方向に間隔をおいて複数設置される。テープフィーダ５８Ａは、無端状に形成され、図示しないモータに駆動されて回転する。フィーダボード５８の搬送面に載置された用紙１６は、テープフィーダ５８Ａによって送りが与えられて、フィーダボード５８の上を搬送される。
【００２１】
また、フィーダボード５８の上には、リテーナ５８Ｂとコロ５８Ｃとが設置される。
リテーナ５８Ｂは、用紙１６の搬送面に沿って前後に縦列して複数配置される（本例では２つ）。リテーナ５８Ｂは、用紙幅に対応した幅を有する板バネで構成され、搬送面に押圧当接されて設置される。テープフィーダ５８Ａによってフィーダボード５８の上を搬送される用紙１６は、リテーナ５８Ｂを通過することにより、凹凸が矯正される。
【００２２】
コロ５８Ｃは、前後のリテーナ５８Ｂの間に配設される。コロ５８Ｃは、用紙１６の搬送面に押圧当接されて設置される。前後のリテーナ５８Ｂの間を搬送される用紙１６は、コロ５８Ｃによって上面が抑えられながら搬送される。
【００２３】
前当て１１２は、用紙１６の姿勢を矯正する。前当て１１２は、板状に形成され、用紙１６の搬送方向と直交して配置される。また、図示しないモータに駆動されて、揺動可能に設けられる。フィーダボード５８の上を搬送された用紙１６は、用紙１６の先端が前当て１１２に当接されて、姿勢が矯正される（いわゆる、スキュー防止）。前当て１１２は、給紙ドラム１１４への用紙の給紙に連動して揺動し、姿勢を矯正した用紙１６を給紙ドラム１１４に受け渡す。
【００２４】
給紙ドラム１１４は、前当て１１２を介してフィーダボード５８から給紙される用紙１６を受け取り、処理液付与部１００へと搬送する。給紙ドラム１１４は、円筒状に形成され、図示しないモータに駆動されて回転する。給紙ドラム１１４の外周面上には、グリッパ１１４Ａが備えられ、グリッパ１１４Ａによって用紙１６の先端が把持される。給紙ドラム１１４は、グリッパ１１４Ａによって用紙１６の先端を把持して回転することにより、用紙１６を周面に巻き掛けながら、処理液付与部１００へと用紙１６を搬送する。
【００２５】
〈処理液付与部〉
処理液付与部１００は、用紙１６の表面（画像記録面）に処理液を付与する。処理液付与部１００は、主として、用紙１６を搬送する処理液付与ドラム１１６と、処理液付与ドラム１１６によって搬送される用紙１６の印刷面に処理液を付与する処理液付与ユニット５６とで構成される。
【００２６】
処理液付与ドラム１１６は、給紙部６２の給紙ドラム１１４から用紙１６を受け取り、処理液乾燥処理部１０２へと用紙１６を搬送する。処理液付与ドラム１１６は、円筒状に形成され、図示しないモータに駆動されて回転する。処理液付与ドラム１１６の外周面上には、グリッパ１１６Ａが備えられ、グリッパ１１６Ａによって用紙１６の先端が把持される。処理液付与ドラム１１６は、グリッパ１１６Ａによって用紙１６の先端を把持して回転することにより、用紙１６を周面に巻き掛けながら、処理液乾燥処理部１０２へと用紙１６を搬送する（１回転で１枚の用紙１６を搬送する。）。処理液付与ドラム１１６と給紙ドラム１１４の回転を制御して、互いの用紙１６の受け取りと受け渡しのタイミングを合わせる。すなわち、処理液付与ドラム１１６と給紙ドラム１１４は同じ周速度となり、互いのグリッパの位置が合う。
【００２７】
処理液付与ユニット５６は、処理液付与ドラム１１６によって搬送される用紙１６の表面に処理液をローラ塗布する。処理液付与ユニット５６は、主として、用紙１６に処理液を塗布する塗布ローラ５６Ａと、処理液が貯留される処理液槽５６Ｂと、処理液槽５６Ｂに貯留された処理液を汲み上げて、塗布ローラ５６Ａに供給する汲み上げローラ５６Ｃとで構成される。
【００２８】
なお、本例では、処理液をローラ塗布する構成としているが、処理液を付与する方法はローラ塗布に限定されない。ローラ塗布の他、インクジェットヘッドを用いて付与する構成やスプレーにより付与する構成を採用することもできる。
【００２９】
〈処理液乾燥処理部〉
処理液乾燥処理部１０２は、表面に処理液が付与された用紙１６を乾燥処理する。処理液乾燥処理部１０２は、主として、用紙１６を搬送する処理液乾燥処理ドラム１１８と、用紙搬送ガイド１２０と、処理液乾燥処理ドラム１１８によって搬送される用紙１６の印刷面に乾燥風（乾燥風）を吹き当てて乾燥させる処理液乾燥処理ユニット１２２とを備えている。
【００３０】
処理液乾燥処理ドラム１１８は、処理液付与部１００の処理液付与ドラム１１６から用紙１６を受け取り、描画部７６へと用紙１６を搬送する。処理液乾燥処理ドラム１１８は、円筒状に組んだ枠体で構成され、図示しないモータに駆動されて回転する。処理液乾燥処理ドラム１１８の外周面上には、グリッパ１１８Ａが備えられ、グリッパ１１８Ａによって用紙１６の先端が把持される。処理液乾燥処理ドラム１１８は、グリッパ１１８Ａによって用紙１６の先端を把持して回転することにより、描画部７６に用紙１６を搬送する。なお、本例の処理液乾燥処理ドラム１１８は、外周面上の２カ所にグリッパ１１６Ａが配設され、１回の回転で２枚の用紙１６が搬送できる。処理液乾燥処理ドラム１１８と処理液付与ドラム１１６の回転を制御して、互いの用紙１６の受け取りと受け渡しのタイミングを合わせる。すなわち、処理液乾燥処理ドラム１１８と処理液付与ドラム１１６は同じ周速度となり、互いのグリッパの位置が合う。
【００３１】
用紙搬送ガイド１２０は、処理液乾燥処理ドラム１１８による用紙１６の搬送経路に沿って配設され、用紙１６の搬送をガイドする。
【００３２】
処理液乾燥処理ユニット１２２は、処理液乾燥処理ドラム１１８の内側に設置され、処理液乾燥処理ドラム１１８によって搬送される用紙１６の表面に向けて乾燥風を吹き当てて乾燥処理する。乾燥処理により、処理液中の溶媒成分が除去されて用紙１６の表面にインク凝集層が形成される。本例では、２台の処理液乾燥処理ユニット１２２が、処理液乾燥処理ドラム内に配設され、処理液乾燥処理ドラム１１８によって搬送される用紙１６の表面に向けて乾燥風を吹き当てる構成とされている。
【００３３】
〈描画部〉
描画部７６は、用紙１６の印刷面にＣ（サイアン）、Ｍ（マゼンタ）、Ｙ（イエロー）、Ｋ（黒）の各色のインクの液滴を打滴して、用紙１６の印刷面にカラー画像を描画する。描画部７６は、主として、用紙１６を搬送する画像記録ドラム１２４と、画像記録ドラム１２４によって搬送される用紙１６を押圧して、用紙１６を画像記録ドラム１２４の周面に密着させる用紙押さえローラ１２６と、用紙１６にＣ、Ｍ、Ｙ、Ｋの各色のインク滴を吐出する吐出ヘッドの一例としてのインクジェットヘッド９８Ｃ、９８Ｍ、９８Ｙ、９８Ｋと、用紙１６に記録された画像を読み取るインラインセンサ１２８と、インクミストを捕捉するミストフィルタ９９と、ドラム冷却ユニット１３０とを備えている。
【００３４】
画像記録ドラム１２４は、処理液乾燥処理部１０２の処理液乾燥処理ドラム１１８から用紙１６を受け取り、インク乾燥処理部１０４へと用紙１６を搬送する。画像記録ドラム１２４は、円筒状に形成され、図示しないモータに駆動されて回転する。画像記録ドラム１２４の外周面上には、グリッパ１２４Ａが備えられ、グリッパ１２４Ａによって用紙１６の先端が把持される。画像記録ドラム１２４は、グリッパ１２４Ａによって用紙１６の先端を把持して回転することにより、用紙１６を周面に巻き掛けながら、インク乾燥処理部１０４へと用紙１６を搬送する。また、画像記録ドラム１２４は、画像記録ドラム１２４の周面に多数の吸引穴（図示せず）が所定のパターンで形成される。画像記録ドラム１２４の周面に巻き掛けられた用紙１６は、吸引穴から吸引されることにより、画像記録ドラム１２４の周面に吸着保持されながら搬送される。この搬送により、高い平滑性をもって用紙１６を搬送することができる。
【００３５】
なお、吸引穴からの吸引は一定の範囲でのみ作用し、吸引開始位置から吸引終了位置との間で作用する。吸引開始位置は、用紙押さえローラ１２６の設置位置に設定され、吸引終了位置は、インラインセンサ１２８の設置位置の下流側に設定される（たとえば、インク乾燥処理部１０４に用紙を受け渡す位置に設定される。）。すなわち、少なくともインクジェットヘッド９８Ｃ、９８Ｍ、９８Ｙ、９８Ｋの設置位置（画像記録位置）とインラインセンサ１２８の設置位置（画像読取位置）では、用紙１６が画像記録ドラム１２４の周面に吸着保持される位置に設定される。
【００３６】
なお、用紙１６を画像記録ドラム１２４の周面に吸着保持させる機構は、上記の負圧による吸着方法に限らず、静電吸着による方法を採用することもできる。
【００３７】
また、本例の画像記録ドラム１２４は、外周面上の２カ所にグリッパ１２４Ａが配設され、１回の回転で２枚の用紙１６が搬送できる。画像記録ドラム１２４と処理液乾燥処理ドラム１１８は、回転が制御されて、互いの用紙１６の受け取りと受け渡しのタイミングが合う。すなわち、画像記録ドラム１２４と処理液乾燥処理ドラム１１８同じ周速度となり、互いのグリッパの位置が合う。
【００３８】
用紙押さえローラ１２６は、画像記録ドラム１２４の用紙受取位置（処理液乾燥処理ドラム１１８から用紙１６を受け取る位置）の近傍に配設される。用紙押さえローラ１２６は、ゴムローラで構成され、画像記録ドラム１２４の周面に押圧当接させて設置される。処理液乾燥処理ドラム１１８から画像記録ドラム１２４に受け渡された用紙１６は、用紙押さえローラ１２６を通過することによりニップされ、画像記録ドラム１２４の周面に密着させられる。
【００３９】
４台のインクジェットヘッド９８Ｃ、９８Ｍ、９８Ｙ、９８Ｋは、画像記録ドラム１２４による用紙１６の搬送経路に沿って一定の間隔をもって配置される。インクジェットヘッド９８Ｃ、９８Ｍ、９８Ｙ、９８Ｋは、用紙幅に対応したラインヘッドで構成され、ノズル面が画像記録ドラム１２４の周面に対向する。各インクジェットヘッド９８Ｃ、９８Ｍ、９８Ｙ、９８Ｋは、ノズル面に形成されたノズル列から、画像記録ドラム１２４に向けてインクの液滴を吐出することにより、画像記録ドラム１２４によって搬送される用紙１６に画像を描画する。
【００４０】
インラインセンサ１２８は、画像記録ドラム１２４による用紙１６の搬送方向に対して、最後尾のインクジェットヘッド９８Ｋの下流側に設置され、インクジェットヘッド９８Ｃ、９８Ｍ、９８Ｙ、９８Ｋで描画された画像を読み取る。インラインセンサ１２８は、たとえば、ラインスキャナで構成され、画像記録ドラム１２４によって搬送される用紙１６からインクジェットヘッド９８Ｃ、９８Ｍ、９８Ｙ、９８Ｋによって描画された画像を読み取る。
【００４１】
なお、インラインセンサ１２８の下流側には、インラインセンサ１２８に近接して接触防止板５９が設置される。接触防止板５９は、搬送の不具合等によって用紙１６に浮きが生じた場合に、用紙１６がインラインセンサ１２８に接触するのを防止する。
【００４２】
ミストフィルタ９９は、最後尾のインクジェットヘッド９８Ｋとインラインセンサ１２８との間に配設され、画像記録ドラム１２４の周辺の空気を吸引してインクミストを捕捉する。画像記録ドラム１２４の周辺の空気を吸引してインクミストを捕捉することにより、インラインセンサ１２８へのインクミストの進入を防止でき、読み取り不良等の発生を防止できる。
【００４３】
ドラム冷却ユニット１３０は、画像記録ドラム１２４に冷風を吹き当てて、画像記録ドラム１２４を冷却する。ドラム冷却ユニット１３０は、主として、エアコン（図示せず）と、エアコンから供給される冷気を画像記録ドラム１２４の周面に吹き当てるダクト１３０Ａとで構成される。ダクト１３０Ａは、画像記録ドラム１２４に対して、用紙１６の搬送領域以外の領域に冷気を吹き当てて、画像記録ドラム１２４を冷却する。本例では、画像記録ドラム１２４のほぼ上側半分の円弧面に沿って用紙１６が搬送されるので、ダクト１３０Ａは、画像記録ドラム１２４のほぼ下側半分の領域に冷気を吹き当てて、画像記録ドラム１２４を冷却する構成とされている。具体的には、ダクト１３０Ａの吹出口が円弧状に形成され、画像記録ドラム１２４のほぼ下側半分を覆い、画像記録ドラム１２４のほぼ下側半分の領域に冷気が吹き当てられる構成とされている。
【００４４】
ここで、画像記録ドラム１２４を冷却する温度は、インクジェットヘッド９８Ｃ、９８Ｍ、９８Ｙ、９８Ｋの温度（特にノズル面の温度）との関係で定まり、インクジェットヘッド９８Ｃ、９８Ｍ、９８Ｙ、９８Ｋの温度よりも低い温度となるように冷却される。この冷却により、インクジェットヘッド９８Ｃ、９８Ｍ、９８Ｙ、９８Ｋに結露が生じるのを防止することができる。すなわち、インクジェットヘッド９８Ｃ、９８Ｍ、９８Ｙ、９８Ｋよりも画像記録ドラム１２４の温度を低くすることにより、画像記録ドラム側に結露を誘発することができ、インクジェットヘッド９８Ｃ、９８Ｍ、９８Ｙ、９８Ｋに生じる結露（特にノズル面に生じる結露）を防止することができる。
【００４５】
〈インク供給部〉
インク供給部４０は、定着方法が異なる複数種類（本例では２種類）のインクのうちの１種類のインクを描画部７６のインクジェットヘッド９８Ｃ、９８Ｍ、９８Ｙ、９８Ｋに供給する。
【００４６】
インク供給部４０は、主として、定着方法が異なる複数種類（本例では２種類）のインクをそれぞれ収容するインクタンクを搭載するインクタンク搭載部４１ａ、４２ａと、洗浄液タンク搭載部４３ａと、３方切替弁４７と、インク供給タンク４８と、廃液タンク５０とを備えている。
【００４７】
インクタンク搭載部４１ａには、紫外線（ＵＶ）硬化インクを収容したＵＶ硬化インクタンク４１が搭載され、インクタンク搭載部４２ａには、熱定着インクを収容した熱定着インクタンク４２が搭載される。ＵＶ硬化インクは、紫外線が照射されることにより定着が行われ、熱定着インクは加熱することにより定着が行われる。洗浄液タンク搭載部４３ａには洗浄液タンク４３が搭載される。
【００４８】
ＵＶ硬化インクタンク４１は、Ｃ、Ｍ、Ｙ、Ｋの各色のＵＶインクをそれぞれ収容するＵＶ硬化インクタンク４１Ｃ、４１Ｍ、４１Ｙ、４１Ｋを備えている。熱定着インクタンク４２は、Ｃ、Ｍ、Ｙ、Ｋの各色の熱定着インクをそれぞれ収容する熱定着インクタンク４２Ｃ、４２Ｍ、４２Ｙ、４２Ｋを備えている。
【００４９】
インク供給タンク４８は、Ｃ、Ｍ、Ｙ、Ｋの各色用のインク供給タンク４８Ｃ、４８Ｍ、４８Ｙ、４８Ｋを備えている。インク供給タンク４８Ｃ、４８Ｍ、４８Ｙ、４８Ｋは、インクジェットヘッド９８Ｃ、９８Ｍ、９８Ｙ、９８Ｋに配管４９Ｃ、４９Ｍ、４９Ｙ、４９Ｋでそれぞれ接続されている。インク供給タンク４８Ｃ、４８Ｍ、４８Ｙ、４８Ｋは、配管５１で廃液タンク５０に接続されている。
【００５０】
インク供給タンク４８の上流側には、３方切替弁４７が設けられている。３方切替弁４７は、Ｃ、Ｍ、Ｙ、Ｋの各色用の３方切替弁４７Ｃ、４７Ｍ、４７Ｙ、４７Ｋを備えている。３方切替弁４７Ｃ、４７Ｍ、４７Ｙ、４７Ｋは、インク供給タンク４８Ｃ、４８Ｍ、４８Ｙ、４８Ｋにそれぞれ接続されている。
【００５１】
ＵＶ硬化インクタンク４１Ｃ、４１Ｍ、４１Ｙ、４１Ｋは、配管４４Ｃ、４４Ｍ、４４Ｙ、４４Ｋで３方切替弁４７Ｃ、４７Ｍ、４７Ｙ、４７Ｋの上流側にそれぞれ接続されている。熱定着インクタンク４２Ｃ、４２Ｍ、４２Ｙ、４２Ｋは、配管４５Ｃ、４５Ｍ、４５Ｙ、４５Ｋで３方切替弁４７Ｃ、４７Ｍ、４７Ｙ、４７Ｋの上流側にそれぞれ接続されている。洗浄液タンク４３は、配管４６Ｃ、４６Ｍ、４６Ｙ、４６Ｋで３方切替弁４７Ｃ、４７Ｍ、４７Ｙ、４７Ｋの上流側にそれぞれ接続されている。
【００５２】
定着方法が異なる複数種類（本例では２種類）のインクをそれぞれ収容するインクタンクを搭載するインクタンク搭載部４１ａ、４２ａと３方切替弁４７とは、インク切替手段の一例である。
【００５３】
定着方法の異なる（本例では、紫外線が照射されることによって定着する方法と、加熱することによって定着する方法）インクの切替は次のようにして行う。例として、ＵＶ硬化インクから熱定着インクへの切替の場合を説明するが、熱定着インクからＵＶ硬化インクへの切替も同様に行うことができる。
【００５４】
インク供給タンク４８Ｃ、４８Ｍ、４８Ｙ、４８Ｋ内のＣ、Ｍ、Ｙ、Ｋの各色用のＵＶ硬化インクを廃液タンク５０に廃棄する。次に、３方切替弁４７Ｃ、４７Ｍ、４７Ｙ、４７Ｋを切り替えて、洗浄液タンク４３から洗浄液をインク供給タンク４８Ｃ、４８Ｍ、４８Ｙ、４８Ｋおよびインクジェットヘッド９８Ｃ、９８Ｍ、９８Ｙ、９８Ｋに供給して、インク供給タンク４８Ｃ、４８Ｍ、４８Ｙ、４８Ｋおよびインクジェットヘッド９８Ｃ、９８Ｍ、９８Ｙ、９８Ｋを洗浄する。次に、３方切替弁４７Ｃ、４７Ｍ、４７Ｙ、４７Ｋを切り替えて、熱定着インクタンク４２Ｃ、４２Ｍ、４２Ｙ、４２ＫからＣ、Ｍ、Ｙ、Ｋの各色用の熱定着インクをインク供給タンク４８Ｃ、４８Ｍ、４８Ｙ、４８Ｋにそれぞれ供給する。インク供給タンク４８Ｃ、４８Ｍ、４８Ｙ、４８Ｋにそれぞれ供給されたＣ、Ｍ、Ｙ、Ｋの各色用の熱定着インクは、インクジェットヘッド９８Ｃ、９８Ｍ、９８Ｙ、９８Ｋにそれぞれ供給される。
【００５５】
〈乾燥部〉
乾燥部１０４は、画像記録後の用紙１６を乾燥処理し、用紙１６の記録面に残存する液体成分を除去する。乾燥部１０４は、主として、画像が描画された用紙１６を搬送するチェーングリッパ６４と、チェーングリッパ６４によって搬送される用紙１６にバックテンションを付与するバックテンション付与機構６６と、チェーングリッパ６４によって搬送される用紙１６を乾燥処理するインク乾燥処理ユニット６８とを備えている。
【００５６】
チェーングリッパ６４は、インク乾燥処理部１０４において使用される用紙搬送機構であり、画像記録部７６から受け渡された用紙１６を受け取って、定着部１０６まで搬送する。
【００５７】
チェーングリッパ６４は、主として、画像記録ドラム１２４に近接して設置される第１スプロケット６４Ａと、排紙部７８に設置される第２スプロケット６４Ｂと、第１スプロケット６４Ａと第２スプロケット６４Ｂとに巻き掛けられる無端状のチェーン６４Ｃと、チェーン６４Ｃに一定の間隔をもって取り付けられる複数のグリッパ６４Ｄとを備えている。第１スプロケット６４Ａと、第２スプロケット６４Ｂと、チェーン６４Ｃとは、それぞれ一対で構成され、用紙１６の幅方向の両側に配設される。グリッパ６４Ｄは、一対で設けられるチェーン６４Ｃに掛け渡されて設置される。
【００５８】
第１スプロケット６４Ａは、画像記録ドラム１２４に近接して設置され、画像記録ドラム１２４から受け渡される用紙１６をグリッパ６４Ｄで受け取ることができる。第１スプロケット６４Ａは、図示しない軸受に軸支されて、回転自在に設けられ、さらに図示しないモータが連結される。第１スプロケット６４Ａ及び第２スプロケット６４Ｂに巻き掛けられるチェーン６４Ｃは、モータを駆動することにより走行する。
【００５９】
第２スプロケット６４Ｂは、搬送切替部の手前近傍に設置され、用紙１６の搬送経路を切り替えられる。第２スプロケット６４Ｂの設置位置が、チェーングリッパ６４による用紙１６の搬送経路の終端とされる。第２スプロケット６４Ｂは、図示しない軸受に軸支されて、回転自在に設けられる。
【００６０】
チェーン６４Ｃは、無端状に形成され、第１スプロケット６４Ａと第２スプロケット６４Ｂとに巻き掛けられる。
【００６１】
グリッパ６４Ｄは、チェーン６４Ｃに一定の間隔をもって複数取り付けられる。グリッパ６４Ｄの取り付け間隔は、画像記録ドラム１２４からの用紙１６の受け取り間隔に合わせて設定される。すなわち、画像記録ドラム１２４から順次受け渡される用紙１６をタイミングを合わせて画像記録ドラム１２４から受け取ることができるように、画像記録ドラム１２４からの用紙１６の受け取り間隔に合わせて設定される。
【００６２】
チェーングリッパ６４は、以上のように構成される。上記のように、第１スプロケット６４Ａに接続されたモータ（図示せず）を駆動すると、チェーン６４Ｃが走行する。チェーン６４Ｃは、画像記録ドラム１２４の周速度と同じ速度で走行する。また、画像記録ドラム１２４から受け渡される用紙１６が、各グリッパ６４Ｄで受け取れるようにタイミングが合わせられる。
【００６３】
バックテンション付与機構６６は、チェーングリッパ６４によって先端を把持されながら搬送される用紙１６にバックテンションを付与する。バックテンション付与機構６６は、主として、ガイドプレート８４と、ガイドプレート８４の上面に形成される多数の吸引穴から空気を吸引する図示しない複数の吸引ファンと、を備えている。また、ガイドプレート８４の下面には、吸引した空気を吐き出すための図示しない多数の穴が設けられている。
【００６４】
ガイドプレート８４は、用紙幅に対応した幅を有する中空状のボックスプレートで構成される。ガイドプレート８４は、チェーン６４Ｃに沿って配設され、チェーン６４Ｃから距離離間して配設される。チェーングリッパ６４によって搬送される用紙１６は、用紙１６の裏面（画像が記録されていない側の面）が、ガイドプレート８４の上面（チェーン６４Ｃと対向する面：摺接面）の上を摺接しながら搬送される。
【００６５】
ガイドプレート８４の摺接面（上面）には、図示しない多数の吸引穴が所定のパターンで多数形成される。上記のように、ガイドプレート８４は、中空のボックスプレートで形成される。吸引ファンは、ガイドプレート８４の中空部（内部）を吸引する。この吸引により、摺接面に形成された吸引穴から空気が吸引される。
【００６６】
ガイドプレート８４の吸引穴から空気が吸引されることにより、チェーングリッパ６４によって搬送される用紙１６の裏面が吸引穴に吸引される。この吸引により、チェーングリッパ６４によって搬送される用紙１６にバックテンションが付与される。
【００６７】
インク乾燥処理ユニット６８は、チェーングリッパ６４の内部に設置され、第１水平搬送経路７２Ａを搬送される用紙１６に対して乾燥処理を施す。インク乾燥処理ユニット６８は、例えば、赤外線ランプ（ＩＲランプ）等を備えている。インク乾燥処理ユニット６８は、搬送される用紙１６の記録面にＩＲランプからの加熱光を照射して、用紙１６を加熱し乾燥させる。
【００６８】
チェーングリッパ６４の後方には、給紙ローラ対１０が設けられている。チェーングリッパ６４から解放された用紙１６は、給紙ローラ対１０を構成する一対のローラ１０Ａ、１０Ｂの間に挿入される。
【００６９】
給紙ローラ対１０は、互いに押圧当接された上下一対のローラ１０Ａ、１０Ｂを備えている。上下一対のローラ１０Ａ、１０Ｂは、一方が駆動ローラ（ローラ１０Ａ）、他方が従動ローラ（ローラ１０Ｂ）とされ、駆動ローラ（ローラ１０Ａ）は、図示しないモータに駆動されて回転する。モータは、用紙１６の給紙に連動して駆動され、チェーングリッパ６４から用紙１６が給紙されると、給紙のタイミングに合わせて駆動ローラ（ローラ１０Ａ）を回転させる。上下一対のローラ１０Ａ、１０Ｂの間に挿入された用紙１６は、ローラ１０Ａ、１０Ｂにニップされて、ローラ１０Ａ、１０Ｂの回転方向（後述する搬送切替部２０の設置方向）に送り出される。
【００７０】
〈定着部〉
定着部１０６は、主として、加熱ローラ８０と、紫外線照射ランプ９０と、用紙１６の搬送経路２６、２７と、搬送切替部２０、２９とを備えている。
【００７１】
紫外線照射ランプ９０は、紫外線ランプ（ＵＶランプ）９１と反射板９２とを備えている。紫外線照射ランプ９０は、搬送経路２７を搬送される用紙１６の記録面に向けて紫外線を照射する。紫外線照射ランプ９０は、ＵＶ硬化インク用いて描画された画像に紫外線を照射して、画像を定着させる。
【００７２】
加熱ローラ８０は、互いに押圧当接された上下一対のローラ８２、８１を備えている。ローラ８２内、または、ローラ８２、８１内には、加熱用のヒータ（図示せず）が設けられている。上下一対のローラ８２、８１Ｂは、一方が駆動ローラ（ローラ８１）、他方が従動ローラ（ローラ８２）とされ、駆動ローラ（ローラ８２）は、図示しないモータに駆動されて回転する。モータは、用紙１６の給紙に連動して駆動され、用紙１６が給紙されると、給紙のタイミングに合わせて駆動ローラ（ローラ８２）を回転させる。上下一対のローラ８２、８１の間に挿入された用紙１６は、ローラ８２、８１にニップされて、ローラ１０Ａ、１０Ｂの回転方向に送り出される。加熱ローラ８０は、熱定着インク用いて描画された画像を加熱して、画像を定着させる。
【００７３】
搬送経路２６は、給紙ローラ対１１、１２、１３、１４と、ガイド３１、３２、３３とを備えている。搬送経路２６は、加熱ローラ８０側に用紙１６を給紙する。ガイド３１は、給紙ローラ対１１と加熱ローラ８０との間に設けられ、ガイド３２は、加熱ローラ８０と給紙ローラ対１２との間に設けられ、ガイド３３は、給紙ローラ対１３と給紙ローラ対１４との間に設けられ、用紙１６の移動をガイドする。
【００７４】
給紙ローラ対１１、１２、１３、１４は、互いに押圧当接された上下一対のローラ１１Ａ、１１Ｂ、１２Ａ、１２Ｂ、１３Ａ、１３Ｂ、１４Ａ、１４Ｂをそれぞれ備えている。
上下一対のローラローラ１１Ａ、１１Ｂ、１２Ａ、１２Ｂ、１３Ａ、１３Ｂ、１４Ａ、１４Ｂは、一方が駆動ローラ（ローラ１１Ａ、１２Ａ、１３Ａ、１４Ａ）、他方が従動ローラ（ローラ１１Ｂ、１２Ｂ、１３Ｂ、１４Ｂ）とされ、駆動ローラ（ローラ１１Ａ、１２Ａ、１３Ａ、１４Ａ）は、図示しないモータに駆動されて回転する。モータは、用紙１６の給紙に連動して駆動され、用紙１６が搬送経路２６に給紙されると、給紙のタイミングに合わせて駆動ローラ（ローラ１１Ａ、１２Ａ、１３Ａ、１４Ａ）を回転させる。上下一対のローラ１１Ａ、１１Ｂ、１２Ａ、１２Ｂ、１３Ａ、１３Ｂ、１４Ａ、１４Ｂの間にそれぞれ挿入された用紙１６は、ローラ１１Ａ、１１Ｂ、１２Ａ、１２Ｂ、１３Ａ、１３Ｂ、１４Ａ、１４Ｂにそれぞれニップされて、ローラ１１Ａ、１１Ｂ、１２Ａ、１２Ｂ、１３Ａ、１３Ｂ、１４Ａ、１４Ｂの回転方向（排紙部７８側）に送り出される。
【００７５】
搬送経路２７は、給紙ローラ対１５、１６、１７、１８と、ガイド３４、３５とを備えている。搬送経路２７は、紫外線照射ランプ９０側に用紙１６を給紙する。ガイド３４は、給紙ローラ対１５と給紙ローラ対１６との間に設けられ、ガイド３５は、給紙ローラ対１７と給紙ローラ対１８との間に設けられ、用紙１６の移動をガイドする。
【００７６】
給紙ローラ対１５、１６、１７、１８は、互いに押圧当接された上下一対のローラ１５Ａ、１５Ｂ、１６Ａ、１６Ｂ、１７Ａ、１７Ｂ、１８Ａ、１８Ｂをそれぞれ備えている。
上下一対のローラローラ１５Ａ、１５Ｂ、１６Ａ、１６Ｂ、１７Ａ、１７Ｂ、１８Ａ、１８Ｂは、一方が駆動ローラ（ローラ１５Ａ、１６Ａ、１７Ａ、１８Ａ）、他方が従動ローラ（ローラ１５Ｂ、１６Ｂ、１７Ｂ、１８Ｂ）とされ、駆動ローラ（ローラ１５Ａ、１６Ａ、１７Ａ、１８Ａ）は、図示しないモータに駆動されて回転する。モータは、用紙１６の給紙に連動して駆動され、用紙１６が搬送経路２７に給紙されると、給紙のタイミングに合わせて駆動ローラ（ローラ１５Ａ、１６Ａ、１７Ａ、１８Ａ）を回転させる。上下一対のローラ１５Ａ、１５Ｂ、１６Ａ、１６Ｂ、１７Ａ、１７Ｂ、１８Ａ、１８Ｂの間にそれぞれ挿入された用紙１６は、ローラ１５Ａ、１５Ｂ、１６Ａ、１６Ｂ、１７Ａ、１７Ｂ、１８Ａ、１８Ｂにそれぞれニップされて、ローラ１５Ａ、１５Ｂ、１６Ａ、１６Ｂ、１７Ａ、１７Ｂ、１８Ａ、１８Ｂの回転方向（排紙部７８側）に送り出される。
【００７７】
図２を参照すれば、搬送切替部２０は、乾燥部１０４から搬送されてきた用紙１６の搬送経路を、搬送経路２６または搬送経路２７のいずれかに切り替える。搬送切替部２０は、回転軸２２と、回転軸２２に一体に取り付けられたガイド２１と突起部２３とを備えている。回転軸２２は、図示しないサーボモータに駆動されて回転角度を変える。回転軸２２の回転角度を変えることによって、ガイド２１を搬送経路２６側と、搬送経路２７側とに切り替える。ガイド２１を搬送経路２６側に切り替えることにより、用紙１６は、搬送経路２６側に給紙され、ガイド２１を搬送経路２７側に切り替えることにより、用紙１６は、搬送経路２７側に給紙される。
【００７８】
図１を参照すれば、搬送切替部２９は、搬送切替部２０と同様な構成であり、回転軸（図示せず）と、回転軸に一体に取り付けられたガイド（図示せず）とを備えており、回転軸の回転角度を変えることによって、ガイドを搬送経路２６側と、搬送経路２７側とに切り替える。ガイドを搬送経路２６側に切り替えることにより、用紙１６は、搬送経路２６側から給紙され、ガイドを搬送経路２７側に切り替えることにより、用紙１６は、搬送経路２７側から給紙される。
【００７９】
搬送経路２６側には、熱定着インクを加熱して定着させる加熱ローラ８０が設けられ、搬送経路２７側には、ＵＶ硬化インクに紫外線を照射して定着させる紫外線照射ランプ９０が設けられており、搬送切替部２０および搬送切替部２９によって搬送経路２６と搬送経路２７とを切り替えるので、搬送切替部２０、搬送切替部２９、搬送経路２６および搬送経路２７は、定着手段切替部の一例である。なお、搬送切替部２０、搬送切替部２９は、後述の制御部２００によって制御されるので、制御部２００は、定着手段切替部制御手段の一例である。
【００８０】
図２を参照すれば、回転軸２２の回転角度を変えることによって、ガイド２１を切り替えると、突起部２３の角度も切り替わる。ガイド２１が搬送経路２６側に切り替わった際に突起部２３を検出するセンサ２４と、ガイド２１が搬送経路２７側に切り替わった際に突起部２３を検出するセンサ２５とを設けているので、インクの種類に応じて搬送経路が正しく切り替わっているか否かの検出ができる。搬送経路が正しくないとエラーを出し、印刷を止めることができる。突起部２３と、センサ２４、２５は搬送経路検出手段として機能する。
【００８１】
図３を参照すれば、加熱ローラ８０のうち、ローラ８１を搬送経路２６より上方に逃がす離間機構８３を備えることで、ＵＶ硬化インク使用時にはローラ８１を搬送経路２６上方に逃がすようにすれば、搬送切替部２０と、切り替え検出用のセンサ２４、２５が故障し、ＵＶ硬化インクで描画した用紙１６が加熱ローラ部に誤って搬送されても、定着前のＵＶ硬化インクにより加熱ローラ８０を汚すことが防止される。さらに、不要時にローラ８１、８２が離間されているため、ローラ劣化の防止にもなる。
【００８２】
図４を参照すれば、搬送経路２６側に、加熱ローラ８０に代えて遠赤外照射ランプ８４が設けられている。遠赤外照射ランプ８４は遠赤外ランプ８４ａと反射板８４ｂとを備えている。遠赤外照射ランプ８４は、搬送経路２６を搬送される用紙１６の記録面に向けて遠赤外線を照射する。遠赤外照射ランプ８４は、熱定着インク用いて描画された画像に遠赤外線を照射して、画像を定着させる。
【００８３】
〈排紙部〉
排紙部７８は、一連の画像記録処理が行われた用紙１６を回収する。排紙部７８は、主として、給紙ローラ対１９と、用紙１６を積み重ねて回収する排紙台７７とを備えている。
【００８４】
給紙ローラ対１９は、搬送切替部２９の後方に設置されている。給紙ローラ対１９は、互いに押圧当接された上下一対のローラ１９Ａ、１９Ｂを備えている。上下一対のローラ１９Ａ、１９Ｂは、一方が駆動ローラ（ローラ１９Ａ）、他方が従動ローラ（ローラ１９Ｂ）とされ、駆動ローラ（ローラ１９Ａ）は、図示しないモータに駆動されて回転する。モータは、用紙１６の給紙に連動して駆動され、定着部１０６から用紙１６が給紙されると、給紙のタイミングに合わせて駆動ローラ（ローラ１９Ａ）を回転させる。上下一対のローラ１９Ａ、１９Ｂの間に挿入された用紙１６は、ローラ１９Ａ、１９Ｂにニップされて、ローラ１９Ａ、１９Ｂの回転方向（排紙台７７の設置方向）に送り出される。給紙ローラ対１９は、排紙台７７の上で用紙１６を開放し、排紙台７７の上に用紙１６をスタックさせる。
【００８５】
排紙台７７は、給紙ローラ対１９から開放された用紙１６を積み重ねて回収する。排紙台７７には、用紙１６が整然と積み重ねられるように、用紙当て（前用紙当て、後用紙当て、横用紙当て等）が備えられる（図示せず）。
【００８６】
また、排紙台７７は、図示しない排紙台昇降装置によって昇降可能に設けられる。排紙台昇降装置は、排紙台７７にスタックされる用紙１６の増減に連動して、排紙台昇降装置の駆動が制御され、最上位に位置する用紙１６が常に一定の高さに位置するように、排紙台７７を昇降させる。
【００８７】
〈制御部〉
本実施の形態のインクジェット記録装置７０は、制御部２００によって、給紙部６２による用紙１６の給紙、処理液付与部１００による処理液を付与、描画部７６による用紙１６への画像を描画、インク供給部４０による描画部７６へのインクの供給、乾燥部１０４でのインクの乾燥、定着部１０６での画像の定着および排紙部７８での用紙１６の排紙等を制御している。制御部２００はＣＰＵ、ＲＯＭ，ＲＡＭ等を備えたコンピュータで構成されている。
【００８８】
また、３方切替弁４７Ｃ、４７Ｍ、４７Ｙ、４７Ｋの切り替えによる熱定着インクタンク４２Ｃ、４２Ｍ、４２Ｙ、４２ＫとＵＶ硬化インクタンク４１Ｃ、４１Ｍ、４１Ｙ、４１Ｋとの間での切替と、搬送切替部２０および搬送切替部２９による加熱ローラ８０側の
搬送経路２６と、紫外線照射ランプ９０側の搬送経路２７との間の切替も、制御部２００によって制御している。
【００８９】
図５を参照して、本実施の形態のインクジェット記録装置７０によるインクジェット記録方法を説明する。なお、ステップＳ１０１以降のステップは制御部２００の制御により行われる。
【００９０】
まず、オペレータによって、インクの種類を選定する。
【００９１】
次に、インクの変更の要否を判断する（ステップＳ１０１）。すなわち、インクの種類が前回と同じであれば、インクの変更の必要はなく、インクの種類が異なれば、インクの変更を行う必要がある。
【００９２】
インクの変更の必要がなければ、インク供給部４０および定着部１０６の設定等は前回のままで、印刷を開始する（ステップＳ３０２）。
【００９３】
インクの変更を行う必要があれば、熱定着インクからＵＶ硬化インクへの変更か、ＵＶ硬化インクから熱定着インクへの変更かを判断する（ステップＳ１０２）。
【００９４】
インクの変更が熱定着インクからＵＶ硬化インクへの変更であると、熱定着インクをインク供給タンク４８Ｃ、４８Ｍ、４８Ｙ、４８Ｋから廃液タンク５０に排出する（ステップＳ１０３）。
【００９５】
次に、３方切替弁４７Ｃ、４７Ｍ、４７Ｙ、４７Ｋを切り替えて、洗浄液タンク４３から洗浄液をインク供給タンク４８Ｃ、４８Ｍ、４８Ｙ、４８Ｋおよびインクジェットヘッド９８Ｃ、９８Ｍ、９８Ｙ、９８Ｋに供給して、インク供給タンク４８Ｃ、４８Ｍ、４８Ｙ、４８Ｋおよびインクジェットヘッド９８Ｃ、９８Ｍ、９８Ｙ、９８Ｋを洗浄液で洗浄する（ステップＳ１０４）。
【００９６】
次に、３方切替弁４７Ｃ、４７Ｍ、４７Ｙ、４７Ｋを切り替えて、ＵＶ硬化インクタンク４１Ｃ、４１Ｍ、４１Ｙ、４１ＫからＣ、Ｍ、Ｙ、Ｋの各色用のＵＶ硬化インクをインク供給タンク４８Ｃ、４８Ｍ、４８Ｙ、４８Ｋにそれぞれ供給して、Ｃ、Ｍ、Ｙ、Ｋの各色用のＵＶ硬化インクをインク供給タンク４８Ｃ、４８Ｍ、４８Ｙ、４８Ｋに充填する（ステップＳ１０５）。
【００９７】
次に、搬送切替部２０、２９を切り替えて、搬送経路を、搬送経路２６から、紫外線照射ランプ９０が設けられた搬送経路２７に切り替える（ステップＳ１０６）。
【００９８】
次に、離間機構８３により加熱ローラ８０のうちのローラ８１を搬送経路２６の上方に逃がし、搬送経路２６から離間させる。また、加熱ローラ８０のヒータをオフにする。紫外線照射ランプ９０をオンにして、印刷を開始する（ステップＳ１０７）。
【００９９】
インクの変更が、ＵＶ硬化インクから熱定着インクへの変更であると、ＵＶ硬化インクをインク供給タンク４８Ｃ、４８Ｍ、４８Ｙ、４８Ｋから廃液タンク５０に排出する（ステップＳ２０３）。
【０１００】
次に、３方切替弁４７Ｃ、４７Ｍ、４７Ｙ、４７Ｋを切り替えて、洗浄液タンク４３から洗浄液をインク供給タンク４８Ｃ、４８Ｍ、４８Ｙ、４８Ｋおよびインクジェットヘッド９８Ｃ、９８Ｍ、９８Ｙ、９８Ｋに供給して、インク供給タンク４８Ｃ、４８Ｍ、４８Ｙ、４８Ｋおよびインクジェットヘッド９８Ｃ、９８Ｍ、９８Ｙ、９８Ｋを洗浄する（ステップＳ２０４）。
【０１０１】
次に、３方切替弁４７Ｃ、４７Ｍ、４７Ｙ、４７Ｋを切り替えて、熱定着インクタンク４２Ｃ、４２Ｍ、４２Ｙ、４２ＫからＣ、Ｍ、Ｙ、Ｋの各色用の熱定着インクをインク供給タンク４８Ｃ、４８Ｍ、４８Ｙ、４８Ｋにそれぞれ供給して、Ｃ、Ｍ、Ｙ、Ｋの各色用の熱定着インクをインク供給タンク４８Ｃ、４８Ｍ、４８Ｙ、４８Ｋに充填する（ステップＳ２０５）。
【０１０２】
次に、搬送切替部２０、２９を切り替えて、搬送経路を、搬送経路２７から、加熱ローラ８０９０が設けられた搬送経路２６に切り替える（ステップＳ２０６）。
【０１０３】
次に、紫外線照射ランプ９０をオフにして、離間機構８３により加熱ローラ８０のローラ８１、８２を密着させ、加熱ローラ８０のヒータをオンにして、印刷を開始する（ステップＳ２０７）。
【０１０４】
本実施の形態のインクジェット記録装置７０では、熱定着インクを加熱して定着させる加熱ローラ８０と、ＵＶ硬化インクに紫外線を照射して定着させる紫外線照射ランプ９０と、加熱ローラ８０が設けられている搬送経路２６と、紫外線照射ランプ９０が設けられている搬送経路２７とを切り替える搬送切替部２０および搬送切替部２９が設けられている。
【０１０５】
搬送切替部２０および搬送切替部２９によって、加熱ローラ８０が設けられている搬送経路２６と、紫外線照射ランプ９０が設けられている搬送経路２７とを切り替えることができるので、定着方法の異なるインク（本例では２種類：熱定着インクとＵＶ硬化インク）に応じて定着方法を選択することができる。
【０１０６】
また、搬送切替部２０、搬送切替部２９を制御してインクの種類に応じて紫外線照射ランプ９０が設けられている搬送経路２７とを切り替える搬送切替部２０および搬送切替部２９を制御する制御部２００も設けられているので、インクの種類に応じて自動的に定着方法を選択することができる。
【０１０７】
インク供給部４０は、定着方法が異なる複数種類のインク（本例では２種類：熱定着インクとＵＶ硬化インク）をそれぞれ収容するインクタンクを搭載するインクタンク搭載部４１ａ、４２ａと、インクタンク搭載部４１ａ、４２ａにそれぞれ搭載されたＵＶ硬化インクタンク４１Ｃ、４１Ｍ、４１Ｙ、４１ＫのＵＶ硬化インクと、熱定着インクタンク４２Ｃ、４２Ｍ、４２Ｙ、４２Ｋの熱定着インクを切り替えて、インク供給タンク４８Ｃ、４８Ｍ、４８Ｙ、４８Ｋに送る３方切替弁４７Ｃ、４７Ｍ、４７Ｙ、４７Ｋを備えている。
【０１０８】
定着方法が異なる複数種類（本例では２種類）のインクをそれぞれ収容するインクタンクを搭載するインクタンク搭載部４１ａ、４２ａと３方切替弁４７とは、インク切替手段の一例である。インク切替手段により、予め搭載していた複数種類（本例では２種類）インクの種類を切り替えることができる。
【０１０９】
本実施の形態のインクジェット記録装置７０では、定着方法の異なる複数種類のインクを選択使用することができ、１台のプリンタで印刷用途に合った種類のインクを使用可能である。１台で２台分の機能が搭載されているので、装置購入コストが抑えられる。また、設置面積も半分程度で済むため、小さな工場で多品種印刷するのに好適である。
【０１１０】
次に、図６を参照して、本発明の第２の実施の形態のインクジェット記録装置を説明する。
【０１１１】
上述の第１の実施の形態のインクジェット記録装置７０では、インクタンク搭載部４１ａにＵＶ硬化インクタンク４１Ｃ、４１Ｍ、４１Ｙ、４１Ｋを、インクタンク搭載部４２ａに熱定着インクタンク４２Ｃ、４２Ｍ、４２Ｙ、４２Ｋをそれぞれ予め搭載しておき、制御部の制御により、３方切替弁４７Ｃ、４７Ｍ、４７Ｙ、４７ＫでＵＶ硬化インクタンク４１Ｃ、４１Ｍ、４１Ｙ、４１Ｋと熱定着インクタンク４２Ｃ、４２Ｍ、４２Ｙ、４２Ｋとを切り替えて、ＵＶ硬化インクと熱定着インクとを自動的に切り替えた。これに対して、本実施の形態のインクジェット記録装置７１では、ＵＶ硬化インクを使用する場合には、インクタンク搭載部４１ａにＵＶ硬化インクタンク４１Ｃ、４１Ｍ、４１Ｙ、４１Ｋを搭載し、３方切替弁４７Ｃ、４７Ｍ、４７Ｙ、４７Ｋを手動で切り替えて、ＵＶ硬化インクをインク供給タンク４８Ｃ、４８Ｍ、４８Ｙ、４８Ｋに供給し、熱定着インクを使用する場合には、インクタンク搭載部４２ａに熱定着インクタンク４２Ｃ、４２Ｍ、４２Ｙ、４２Ｋを搭載し、３方切替弁４７Ｃ、４７Ｍ、４７Ｙ、４７Ｋを手動で切り替えて、熱定着インクをインク供給タンク４８Ｃ、４８Ｍ、４８Ｙ、４８Ｋに供給している。
【０１１２】
また、上述の第１の実施の形態のインクジェット記録装置７０では、加熱ローラ８０が設けられている搬送経路２６と、紫外線照射ランプ９０が設けられている搬送経路２７とを設け、インクの種類に応じて、搬送切替部２０および搬送切替部２９によって、搬送経路２６と搬送経路２７とを自動で切り替えた。これに対して、本実施の形態のインクジェット記録装置７１では、搬送経路２６は設けず、搬送路２７のみとし、搬送切替部２０および搬送切替部２９も設けない。搬送路２７には、定着手段搭載部９０ａを設け、定着手段搭載部９０ａには、紫外線照射ランプ９０と遠赤外照射ランプ８４（図４参照）のうちいずれかのランプを手動で交換して搭載できる。
【０１１３】
本実施の形態のインクジェット記録装置７１と、第１の実施の形態のインクジェット記録装置７０では、上記２点が異なるが、他の点は同様である。
第１の実施の形態のインクジェット記録装置７０では、インク種とインクに合った定着方式を自動切り替えできる。それに対して、本実施の形態のインクジェット記録装置７１では、インクカセットと定着部を手動で載せ換え交換することができ、インクジェット記録装置を安価にすることができる。
【０１１４】
以上、本発明の種々の典型的な実施の形態を説明してきたが、本発明は上記実施の形態に限定されない。従って、本発明の範囲は、次の特許請求の範囲によってのみ限定される。
【符号の説明】
【０１１５】
１６  用紙（記録媒体）
２０、２９  搬送切替部（定着手段切替部）
７６  描画部
８０  加熱ローラ（定着手段）
９０  紫外線照射ランプ（定着手段）
１０４  乾燥部
【図１】
2015047819.tif 000003
【図２】
2015047819.tif 000004
【図３】
2015047819.tif 000005
【図４】
2015047819.tif 000006
【図５】
2015047819.tif 000007
【図６】
2015047819.tif 000008